(57)【要約】【課題】めくり上がり防止効果に優れ、かつ登り足調整幅の大きい屋根用桟瓦を提供すること。【解決方法】屋根用桟瓦１０において、二つの山部１１と二つの平坦な谷部１２から成る断面波形の瓦本体における桟部１３と尻部１４との角隅に桟側切込部１７と桟側凹部２２及び桟側切込部内に桟側受け片１９を設け、瓦本体における差込部１５と頭部１６との角隅に差込側切込部１８と差込側凹部２０及び差込側切込部内に差込側受け片２３を設け、差込側凹部２０と差込側受け片２３との間に桟側受け片が挿入可能なように段差を設けると共に、桟側受け片の裏面と桟側凹部とを略面一に形成し、瓦を葺設したとき桟側切込部に斜め上段の瓦の差込側切込部が遊嵌し、桟側受け片が斜め上段の瓦の差込側凹部の下に潜り込み、かつ斜め上段の瓦の差込側受け片が桟側凹部の下に潜り込むように構成する。また、桟側切込部に近接する部位に釘穴２６を形成する。【選択図】図１
2007023484.tif 000002
【特許請求の範囲】
【請求項１】
瓦本体における桟部と尻部との角隅に桟側切込部と桟側凹部及び桟側切込部内に桟側受け片を設け、瓦本体における差込部と頭部との角隅に差込側切込部と差込側凹部及び差込側切込部内に差込側受け片を設け、差込側凹部と差込側受け片との間に桟側受け片が挿入可能なように段差を設けると共に、桟側受け片の裏面と桟側凹部とを略面一に形成し、瓦を葺設したとき桟側切込部に斜め上段の瓦の差込側切込部が遊嵌し、桟側受け片が斜め上段の瓦の差込側凹部の下に潜り込み、かつ斜め上段の瓦の差込側受け片が桟側凹部の下に潜り込むように構成したことを特徴とする屋根用桟瓦。
【請求項２】
前記桟側切込部に近接する部位に釘穴を形成したことを特徴とする請求項１に記載の屋根用桟瓦。
【発明の詳細な説明】
【技術分野】
【０００１】
本発明は、屋根用桟瓦に関する。
【背景技術】
【０００２】
屋根用桟瓦の一形式として、特開２００４−２７６８６号公報には図に示すように、瓦本体における桟部と尻部との角隅に桟側切込部と桟側受け片と桟側凹部を設け、差込部と頭部との角隅に前記桟側切込部に対応する形状の差込側切込部と差込側凹部と差込側受け片を設け、葺設したとき桟側切込部に斜め上段の瓦の差込側切込部が遊嵌し、桟側受け片が斜め上段の瓦の差込側凹部の下に潜り込み、かつ斜め上段の瓦の差込側受け片が桟側凹部に潜り込むように構成した桟瓦の構成が開示されている。
【０００３】
かかる構成の桟瓦によれば、下段の瓦がめくり上がろうとすると、下段の瓦の桟部と尻部との角隅に設けた桟側受け片が斜め上段の瓦の差込部と頭部との角隅に設けた差込側凹部に係止される。一方、上段の瓦がめくり上がろうとすると、上段の瓦の差込部と頭部との角隅に設けた差込側受け片が斜め下段の瓦の桟部と尻部との角隅に設けた桟側凹部に係止される。このように本発明に係る屋根用桟瓦は下段の瓦と、その斜め上段の瓦が互いに角隅においてめくり上がりを防止するように係止し合うので、高いめくり上がり防止効果を得ることができる。
【特許文献１】特開２００４−２７６８６号
【発明の開示】
【発明が解決しようとする課題】
【０００４】
上記した従来の桟瓦を葺設するに際し、所期のめくり上がり防止効果を得るには桟側の受け片と差込側の受け片の２個の受け片がそれぞれ、差込側凹部と桟側凹部に潜り込むように葺設しなければならない。そのため登り足調整幅すなわち、一の桟瓦に対し斜め上段の桟瓦の位置を屋根の勾配に沿って上下に調整可能な寸法は桟側の受け片と差込側の受け片のうち縦寸法の短い受け片によって制限され、短い受け片が凹部から外れない範囲でしか調整できない。
本発明はかかる問題点に鑑み、めくり上がり防止効果に優れ、かつ登り足調整幅の大きい屋根用桟瓦を提供することを目的とする。
【課題を解決するための手段】
【０００５】
上記目的を達成するため、本発明に係る屋根用桟瓦は、瓦本体における桟部と尻部との角隅に桟側切込部と桟側凹部及び桟側切込部内に桟側受け片を設け、瓦本体における差込部と頭部との角隅に差込側切込部と差込側凹部及び差込側切込部内に差込側受け片を設け、差込側凹部と差込側受け片との間に桟側受け片が挿入可能なように段差を設けると共に、桟側受け片の裏面と桟側凹部とを略面一に形成し、瓦を葺設したとき桟側切込部に斜め上段の瓦の差込側切込部が遊嵌し、桟側受け片が斜め上段の瓦の差込側凹部の下に潜り込み、かつ斜め上段の瓦の差込側受け片が桟側凹部の下に潜り込むように構成したことを特徴とする。
そして、好ましくは前記桟側切込部に近接する部位に釘穴を形成する。
【発明の効果】
【０００６】
本発明に係る屋根用桟瓦は、下段の瓦がめくり上がろうとすると、下段の瓦の桟部と尻部との角隅に設けた桟側受け片が斜め上段の瓦の差込部と頭部との角隅に設けた差込側凹部に係止される。一方、上段の瓦がめくり上がろうとすると、上段の瓦の差込部と頭部との角隅に設けた差込側受け片が斜め下段の瓦の桟部と尻部との角隅に設けた桟側凹部に係止される。
登り足調整を行うには、一の瓦に対し、斜め上段の瓦を屋根勾配に沿って上下に動かす。一の瓦の桟側受け片と斜め上段の瓦の差込側凹部が外れない限度で上下に位置調整を行う。一の瓦に対し斜め上段の瓦を限度一杯まで上方に動かしても、差込側凹部と差込側受け片の間に桟側受け片を挿入可能な段差を設けると共に、桟側受け片と桟側凹部を略面一に形成したので、差込側受け片が桟側受け片の裏面に係止される。このため、本発明に係る屋根用桟瓦では、桟側受け片の縦寸法の範囲で登り足調整が可能となる。
また、釘穴を一の瓦と斜め上段の瓦が係止される桟側切込部近辺に形成したので、この釘穴に釘を通して瓦を屋根の桟に固定することにより、一の瓦と斜め上段の瓦の桟側受け片と差込側凹部、及び差込側受け片と桟側凹部との係止が強固になり、より一層めくり上がり防止効果を高めることができる。
【発明を実施するための最良の形態】
【０００７】
屋根用桟瓦において、二つの山部と二つの平坦な谷部から成る断面波形の瓦本体における桟部と尻部との角隅に桟側切込部と桟側凹部及び桟側切込部内に桟側受け片を設け、瓦本体における差込部と頭部との角隅に差込側切込部と差込側凹部及び差込側切込部内に差込側受け片を設け、差込側凹部と差込側受け片との間に桟側受け片が挿入可能なように段差を設けると共に、桟側受け片の裏面と桟側凹部とを略面一に形成し、瓦を葺設したとき桟側切込部に斜め上段の瓦の差込側切込部が遊嵌し、桟側受け片が斜め上段の瓦の差込側凹部の下に潜り込み、かつ斜め上段の瓦の差込側受け片が桟側凹部の下に潜り込むように構成する。また、桟側切込部に近接する部位に釘穴を形成する。
【実施例】
【０００８】
以下に本発明を図面に基づき説明するに、図１は本発明の一実施形態に係る屋根用桟瓦１０の平面図、図２は同屋根用桟瓦の表面を示す斜視図、図３は同屋根用桟瓦の裏面を示す斜視図である。
当該桟瓦１０の本体は逆椀型の山部１１と平坦な谷部１２を連ねた波形の断面形状を有し、桟部１３と尻部１４との角隅に桟側切込部１７が、また差込部１５と頭部１６との角隅に差込側切込部１８が形成されている。
【０００９】
差込部１５は谷部１２に連ねて設けられ、上向きに反り返るように成形されている。差込部１５表面には斜めに複数本の排水溝１５ａが形成されている。差込部１５の側縁から尻部１４の側縁にかけては連続して水返し２４が突設されている。山部１１と谷部１２の頭部１６側端部には水垂れ１１ａ，１２ａが成形されている。差込側の山部１１の尻側頂部に釘穴２５が形成されている。また、桟側の山部１１には、桟側切込部１７に近接する部位に釘穴２６が形成されている
【００１０】
桟側切込部１７内には桟側受け片１９が設けられている。桟側切込部１７を形成した桟部１３と尻部１４との角隅には、桟側切込部１７に隣接して桟側切欠部２１が形成され、この切欠部２１に隣接して裏面に、平坦にカットして形成した桟側凹部２２が設けられている。
【００１１】
差込側切込部１８に隣接して差込部１５の裏面に、平坦にカットして形成した差込側凹部２０が設けられている。また、差込側切込部１８内には差込側受け片２３が設けられている。この差込側受け片２３は谷部１２の水垂れ１２ａの側端面から差込側切込部１８内に突出するように設けられている。
【００１２】
図２、図４及び図５に示すように、差込側凹部２０と差込側受け片２３との間には桟側受け片１９が挿入可能な間隙が形成されるように上下の段差が設けられ、差込側受け片２３が差込側凹部２０の下方に位置している。桟側受け片１９は瓦本体１０の厚みの略半分の厚みで成形され、桟側受け片１９の裏面と桟側凹部２２は略面一となるように成形されている。
【００１３】
本実施形態に係る屋根用桟瓦１０の構造は以上の通りであって、該桟瓦１０を葺設するには、図６に模式的に示すように、まず桟瓦１０Ａの差込部１５に同じ段の左の桟瓦１０Ｂの桟部１３を重ねる。次ぎに図７に示すように、桟瓦１０Ｂの桟側切込部１７に右斜め上段の桟瓦１０Ｃの差込側切込部１８を嵌め合わせながら、桟瓦１０Ｃの頭部１６を桟瓦Ａの尻部１４に被せる。このとき、桟瓦１０Ｃの差込部１５と頭部１６との角隅を桟瓦Ｂの桟側切欠部２１に嵌め合わせ、さらに桟瓦１０Ｂの桟側受け片１９を桟瓦１０Ｃの差込側凹部２０の下に潜り込ませると共に、桟瓦１０Ｃの差込側受け片２３を桟瓦１０Ｂの桟側凹部２２の下に潜り込ませる。そして、瓦１０Ｂの釘穴２５，２６に釘を打ち込んで瓦１０Ｂを屋根に固定する。ついで、桟瓦１０Ｄを被せて、桟瓦１０Ｂの尻部１４を覆うと共に、桟瓦１０Ｂの桟側切込部１７と桟瓦１０Ｃの差込側切込部１８を覆う。
【００１４】
登り足調整は、図８に示すように、瓦１０Ｂに対し瓦１０Ｃの位置を、瓦１０Ｃの差込側凹部２０が瓦１０Ｂの桟側受け片１９から外れない範囲で屋根の勾配に沿って上方に移動させる。瓦１０Ｃの上方への移動に伴い、瓦１０Ｃの差込側受け片２３も上方へ移動するが、瓦１０Ｂの桟側受け片１９と桟側凹部２２の裏面は略面一に形成され、かつ瓦１０Ｃの差込側受け片２３と差込側凹部２０との間には瓦１０Ｂの桟側受け片１９が挿入可能な間隙が形成されているので、瓦１０Ｃの差込側受け片２３は瓦１０Ｂの桟側凹部２２に摺接しながら上方へ移動し、次ぎに桟側受け片１９に摺接しながら移動する。図８に示すように瓦１０Ｃの登り足調整を行ったとき、図５に示すように、瓦１０Ｃの差込側凹部２０に瓦１０Ｂの桟側受け片１９が係止され、瓦１０Ｂの桟側受け片１９に瓦１０Ｃの差込側受け片２３が係止される。
【００１５】
本実施例に係る屋根用桟瓦１０は、下段の瓦１０Ｂがめくり上がろうとすると、下段の瓦１０Ｂの桟部１３と尻部１４との角隅に設けた桟側受け片１９が斜め上段の瓦１０Ｃの差込部１５と頭部１６との角隅に設けた差込側凹部２０に係止される。一方、上段の瓦１０Ｃがめくり上がろうとすると、上段の瓦１０Ｃの差込部１５と頭部１６との角隅に設けた差込側受け片２３が斜め下段の瓦１０Ｂの桟部１３と尻部１４との角隅に設けた桟側凹部２１に係止される。
登り足調整を行うには、一の瓦１０Ｂに対し、斜め上段の瓦１０Ｃを屋根勾配に沿って上下に動かす。一の瓦１０Ｂの桟側受け片１９と斜め上段の瓦１０Ｃの差込側凹部２０が外れない限度で上下に位置調整を行う。一の瓦１０Ｂに対し斜め上段の瓦１０Ｃを限度一杯まで上方に動かしても、差込側受け片２３が桟側受け片１９の裏面に係止される。このため、桟側受け片１９の縦寸法の範囲で登り足調整が可能である。
また、釘穴２６を一の瓦１０Ｂと斜め上段の瓦１０Ｃが係止される桟側切込部１７近辺に形成したので、この釘穴２６に釘を通して瓦１０Ｂを屋根の桟に固定することにより、一の瓦１０Ｂと斜め上段の瓦１０Ｃの桟側受け片１９と差込側凹部２０、及び差込側受け片２３と桟側凹部２１との係止が強固になり、より一層めくり上がり防止効果を高めることができる。
【図面の簡単な説明】
【００１６】
【図１】本発明の実施例に係る屋根用桟瓦を示す平面図である。
【図２】同屋根用桟瓦を示す表面側から見た斜視図である。
【図３】同屋根用桟瓦を示す裏面側から見た斜視図である。
【図４】図７の４−４線から切断した部分拡大断面図である。
【図５】図８の５−５線から切断した部分拡大断面図である。
【図６】本発明の実施例に係る屋根用桟瓦の葺設状態を示す平面図である。
【図７】同屋根用桟瓦の部分拡大平面図である。
【図８】同屋根用桟瓦の登り足調整を示す部分拡大平面図である。
【符号の説明】
【００１７】
１０…屋根用桟瓦、１１…山部、１２…谷部、１３…桟部、１４…尻部、１５…差込部、１６…頭部、１７…桟側切込部、１８…差込側切込部、１９…桟側受け片、２０…差込側凹部、２１…桟側切欠部、２２…桟側凹部、２３…差込側受け片、２５，２６…釘穴。
【図１】
2007023484.tif 000003
【図２】
2007023484.tif 000004
【図３】
2007023484.tif 000005
【図４】
2007023484.tif 000006
【図５】
2007023484.tif 000007
【図６】
2007023484.tif 000008
【図７】
2007023484.tif 000009
【図８】
2007023484.tif 000010